(57)【要約】【課題】タイルの目地幅を均一にできるタイル施工治具を提供する。【解決手段】タイルＴの目地に挿入される脚部１０と、脚部１０の上端に設けられたタイルＴの表面に係止する係止部２０と、摘部３０とを備えるタイル施工治具１。脚部１０を目地に挿入してタイルＴを位置決めすることで、タイルＴの目地幅を均一にできる。脚部１０をタイルＴの目地に挿入した際にタイルＴの表面に係止部２０が係止することで脚部１０の挿入深さが制限されるので、脚部１０の下端に接着剤が付着せず、タイル施工治具１を取り外ししやすい。摘部３０を備えるので、タイル施工治具１の取り付け取り外しが容易である。【選択図】図１
2014163109.tif 000002
【特許請求の範囲】
【請求項１】
タイルの目地幅を定めるためのタイル施工治具であって、
所定の厚みを有し、前記タイルの目地に挿入される脚部と、
前記脚部の上端に設けられた、前記タイルの表面に係止する係止部と、
前記脚部および／または前記係止部に設けられた摘部と、を備える
ことを特徴とするタイル施工治具。
【請求項２】
前記脚部の下端は、凹凸状に形成されている
ことを特徴とする請求項１記載のタイル施工治具。
【請求項３】
前記脚部は十字形である
ことを特徴とする請求項１または２記載のタイル施工治具。
【請求項４】
前記係止部は、前記脚部の先端部の間に架設されている
ことを特徴とする請求項３記載のタイル施工治具。
【請求項５】
前記係止部は、所定の厚みを有する板状であり、
前記係止部の上面には、所定の厚みを有する立設部が立設されており、
前記係止部の外縁部と前記立設部とで、前記タイルの目地に挿入されるＴ字形のＴ字脚部が構成されており、
前記係止部の上面には、前記外縁部から所定の寸法内側に係止突条が設けられている
ことを特徴とする請求項４記載のタイル施工治具。
【請求項６】
前記係止部は、所定厚みを有する板状であり、
前記係止部の上面には、所定の厚みを有する立設部が立設されており、
前記係止部の外縁部と前記立設部とで、前記タイルの目地に挿入されるＬ字形のＬ字脚部が構成されており、
前記係止部の上面には、前記外縁部から所定の寸法内側に係止突条が設けられている
ことを特徴とする請求項４記載のタイル施工治具。
【請求項７】
前記脚部はＴ字形である
ことを特徴とする請求項１または２記載のタイル施工治具。
【請求項８】
前記脚部はＬ字形である
ことを特徴とする請求項１または２記載のタイル施工治具。
【発明の詳細な説明】
【技術分野】
【０００１】
本発明は、タイル施工治具に関する。さらに詳しくは、タイルを壁面等に張り付ける際に目地幅を均一にするためのタイル施工治具に関する。
【背景技術】
【０００２】
壁面にタイルを施工する際には、所定の目地幅でタイルを張り付けていくことが行われる。このようなタイルの施工には熟練を要し、目地幅が微妙にずれて不揃いになりやすいという問題がある。
【０００３】
特許文献１には、十字型またはＴ字型の立体である補助固定具が開示されている。基点となる最初のタイルを張り付け、そのタイルの角部に補助固定具を取り付け、それを基準にして次のタイルを張り付けることを順に繰り返し、最後に目地材を充填してタイル仕上げ面を構築する。タイルの間に補助固定具を挟むことにより目地幅を均一にできる。
【０００４】
しかし、特許文献１の補助固定具は、最終的には目地材によって隠蔽されるため再利用できない。しかも、各タイルの各角に取り付けられるため多量に必要であり、部品点数が多くなるばかりか、施工コストが高くなるという問題がある。また、タイルの厚みが補助固定具の厚みよりも薄い場合や、目地材の充填を行わないタイプのタイルの場合には、特許文献１の補助固定具を使用できないという問題がある。
【先行技術文献】
【特許文献】
【０００５】
【特許文献１】特開２０１０−１８０６８０号公報
【発明の概要】
【発明が解決しようとする課題】
【０００６】
本発明は上記事情に鑑み、タイルの目地幅を均一にできるタイル施工治具を提供することを目的とする。
【課題を解決するための手段】
【０００７】
第１発明のタイル施工治具は、タイルの目地幅を定めるためのタイル施工治具であって、所定の厚みを有し、前記タイルの目地に挿入される脚部と、前記脚部の上端に設けられた、前記タイルの表面に係止する係止部と、前記脚部および／または前記係止部に設けられた摘部と、を備えることを特徴とする。
第２発明のタイル施工治具は、第１発明において、前記脚部の下端は、凹凸状に形成されていることを特徴とする。
第３発明のタイル施工治具は、第１または第２発明において、前記脚部は十字形であることを特徴とする。
第４発明のタイル施工治具は、第３発明において、前記係止部は、前記脚部の先端部の間に架設されていることを特徴とする。
第５発明のタイル施工治具は、第４発明において、前記係止部は、所定の厚みを有する板状であり、前記係止部の上面には、所定の厚みを有する立設部が立設されており、前記係止部の外縁部と前記立設部とで、前記タイルの目地に挿入されるＴ字形のＴ字脚部が構成されており、前記係止部の上面には、前記外縁部から所定の寸法内側に係止突条が設けられていることを特徴とする。
第６発明のタイル施工治具は、第４発明において、前記係止部は、所定厚みを有する板状であり、前記係止部の上面には、所定の厚みを有する立設部が立設されており、前記係止部の外縁部と前記立設部とで、前記タイルの目地に挿入されるＬ字形のＬ字脚部が構成されており、前記係止部の上面には、前記外縁部から所定の寸法内側に係止突条が設けられていることを特徴とする。
第７発明のタイル施工治具は、第１または第２発明において、前記脚部はＴ字形であることを特徴とする。
第８発明のタイル施工治具は、第１または第２発明において、前記脚部はＬ字形であることを特徴とする。
【発明の効果】
【０００８】
第１発明によれば、脚部を目地に挿入してタイルを位置決めすることで、タイルの目地幅を均一にできる。また、脚部をタイルの目地に挿入した際にタイルの表面に係止部が係止することで脚部の挿入深さが制限されるので、脚部の下端に接着剤が付着せず、タイル施工治具を取り外ししやすい。さらに、摘部を備えるので、タイル施工治具の取り付け取り外しが容易である。
第２発明によれば、脚部の下端が凹凸状に形成されているので、脚部の下端に接着剤が付着しても、下端の全体に接着剤が付着しないため接着力が弱く、タイル施工治具を取り外ししやすい。
第３発明によれば、脚部が十字形であるので、目地幅が均一であり、規則正しい芋目地を形成できる。
第４発明によれば、脚部の交差部に係止部が設けられていないので、タイルの角が脚部に接触しているか否かを視認でき、タイルの位置決めが容易である。
第５発明によれば、Ｔ字脚部を備えるので、目地幅が均一であり、規則正しい芋目地の外周部分、および馬目地を形成できる。
第６発明によれば、Ｌ字脚部を備えるので、角部に張り付けられるタイルの位置決めができる。
第７発明によれば、脚部がＴ字形であるので、目地幅が均一であり、規則正しい馬目地、および芋目地の外周部分を形成できる。
第８発明によれば、脚部がＬ字形であるので、角部に張り付けられるタイルの位置決めができる。
【図面の簡単な説明】
【０００９】
【図１】本発明の第１実施形態に係るタイル施工治具の、（Ａ）平面を含む斜視図、（Ｂ）底面を含む斜視図である。
【図２】同タイル施工治具の平面図である。
【図３】同タイル施工治具の底面図である。
【図４】同タイル施工治具の側面図である。
【図５】図２におけるV-V線矢視断面図である。
【図６】同タイル施工治具を用いたタイルの施工方法の説明図であって、（Ａ）は正面図、（Ｂ）は（Ａ）におけるB-B線矢視図である。
【図７】同タイル施工治具を用いたタイルの施工方法の説明図であって、（Ａ）は正面図、（Ｂ）は（Ａ）におけるB-B線矢視図である。
【図８】本発明の第２実施形態に係るタイル施工治具の平面図である。
【図９】（Ａ）は図８におけるIXA-IXA線矢視図、（Ｂ）は図８におけるIXB-IXB線矢視図である。
【図１０】同タイル施工治具を用いたタイルの施工方法の説明図であって、（Ａ）は正面図、（Ｂ）は（Ａ）におけるB-B線矢視図である。
【図１１】同タイル施工治具を用いたタイルの施工方法の説明図であって、（Ａ）は正面図、（Ｂ）は（Ａ）におけるB-B線矢視図である。
【図１２】本発明の第３実施形態に係るタイル施工治具の底面図である。
【図１３】同タイル施工治具を用いたタイルの施工方法の説明図である。
【図１４】本発明の第４実施形態に係るタイル施工治具の底面図である。
【発明を実施するための形態】
【００１０】
つぎに、本発明の実施形態を図面に基づき説明する。
（第１実施形態）
本発明の第１実施形態に係るタイル施工治具１は、タイルを壁面等に張り付ける際に目地幅を定めるためのタイル施工治具であって、図１に示すように、脚部１０と、係止部２０と、摘部３０とを備える。なお、タイル施工治具１の素材は特に限定されないが、例えば樹脂で形成される。
【００１１】
図３に示すように、脚部１０は平面視十字形であり、全体に渡って均一な厚みｔを有する。後述のごとく、脚部１０はタイルの目地に挿入され、タイルの間に脚部１０を挟むことにより目地幅を定める。そのため、脚部１０は目地幅を規定する所定の厚みｔを有する。
【００１２】
図５に示すように、脚部１０の下端面は凹凸状に形成されている。また、脚部１０の下端から上端までの高さｈは、位置決めの対象となるタイルの厚みよりも低く形成されている。これらの効果は後に説明する。
【００１３】
脚部１０の上端には、脚部１０に対して直交するように係止部２０が設けられている。後述のごとく、係止部２０は脚部１０をタイルの目地に挿入した際に、そのタイルの表面に係止する。図４に示すように、係止部２０は脚部１０と同じ厚みｔを有する板状である。図２に示すように、係止部２０は、十字形の脚部１０の先端部の間に架設されており、全体としてロ字形に形成されている。そのため、十字形の脚部１０の交差部には係止部２０が設けられておらず、タイル施工治具１の平面側からでも脚部１０の交差部が視認可能となっている。
【００１４】
十字形の脚部１０の交差部の上端面には摘部３０が立設されている。摘部３０は脚部１０の交差部と同じ形状の断面を有する柱状である。この摘部３０を手で摘んでタイル施工治具１を持てるようになっている。
【００１５】
図２および図４に示すように、係止部２０の上面には、脚部１０と同じ厚みｔを有する立設部４１が立設されている。この立設部４１は、係止部２０の４つの外縁部のうち一の外縁部２１の中央に設けられており、この外縁部２１と立設部４１とで側面視Ｔ字形のＴ字脚部４０が構成されている。後述のごとく、Ｔ字脚部４０もタイルの目地に挿入され、タイルの間にＴ字脚部４０を挟むことにより目地幅を定めることができる。
【００１６】
係止部２０の上面には、Ｔ字脚部４０を構成する外縁部２１の端面から所定の寸法ｈだけ内側に係止突条４２が設けられている。外縁部２１の端面から係止突条４２までの寸法ｈはＴ字脚部４０の高さｈに相当し、脚部１０の高さｈと同寸法となっている。また、Ｔ字脚部４０を構成する外縁部２１の端面は凹凸状に形成されている。
【００１７】
つぎに、タイル施工治具１を用いたタイルの施工方法について説明する。
図６に示すように、壁面や床面等の施工面Ｗに接着剤を塗布して接着剤層Ｇを形成し、接着剤層Ｇに複数枚のタイルＴを順次貼り付けていくことでタイルＴが施工される。ここで、タイルＴとしては矩形のタイルであればよく、その縦、横、厚み寸法や、素材等は特に限定されない。
【００１８】
本実施形態のタイル施工治具１は脚部１０が十字形であるので、縦目地と横目地が十字に交差する芋目地を形成するのに用いられる。より詳細には、タイルＴを施工面Ｗに張り付ける際に、４つのタイルＴの角が集まり十字に交差する目地にタイル施工治具１の脚部１０を挿入する。つぎに、各タイルＴを、その角が脚部１０に接触するように位置決めして、タイルＴの間に脚部１０を挟む。ここで、十字形の脚部１０の交差部には係止部２０が設けられていないので、タイルＴの角が脚部１０に接触しているか否かを視認でき、タイルＴの位置決めを容易にできる。このようにタイルＴを位置決めすることで、タイルＴの目地幅が脚部１０の厚みｔにより規定され均一にできる。
【００１９】
タイルＴを張り付けた後は、タイル施工治具１を取り外し、新たなタイルＴの張り付けに用いられる。以上の作業を順次繰り返すことで目地幅が均一であり、規則正しい芋目地を形成できる。なお、複数個のタイル施工治具１を用いて、例えば位置決めが必要なタイルＴの各角にタイル施工治具１を取り付けて、タイルＴの位置決めをしてもよい。
【００２０】
前述のごとく、脚部１０の高さｈはタイルＴの厚みよりも低く形成されている。また、脚部１０をタイルＴの目地に挿入した際にタイルＴの表面に係止部２０が係止することで脚部１０の挿入深さが制限される（図６（Ｂ）参照）。そのため、脚部１０が接着剤層Ｇに達することがなく、脚部１０の下端に接着剤が付着しないので、タイルＴの位置決め後にタイル施工治具１を取り外ししやすい。また、脚部１０の下端が凹凸状に形成されているので、脚部１０の下端に接着剤が付着したとしても、下端面の全体に接着剤が付着しないため接着力が弱く、タイル施工治具１を取り外ししやすい。
【００２１】
タイル施工治具１は摘部３０を備えるので、摘部３０を手で摘んでタイル施工治具１を持つことができ、タイル施工治具１の取り付け取り外しが容易である。しかも、タイル施工治具１を取り付けたままでは、摘部３０がタイルＴの表面から突出して目立つので、タイル施工治具１の取り外し忘れを防止できる。
【００２２】
図７に示すように、芋目地を構成するタイルＴのうち、外周部分に配置されるタイルＴの位置決めには、タイル施工治具１のＴ字脚部４０が用いられる。例えば、壁Ｗの下縁にタイルＴを張り付ける場合に、隣り合う２つのタイルＴの角が集まる目地にＴ字脚部４０を挿入する。つぎに、各タイルＴを、その角がＴ字脚部４０に接触するように位置決めする。このようにタイルＴを位置決めすることで、タイルＴの目地幅がＴ字脚部４０の厚みｔにより規定され均一にできるとともに、タイルＴを床面Ｆに沿って張り付けることができる。
【００２３】
前述のごとく、Ｔ字脚部４０の高さｈはタイルＴの厚みよりも低く形成されている。また、Ｔ字脚部４０をタイルＴの目地に挿入した際にタイルＴの表面に係止突条４２が係止することでＴ字脚部４０の挿入深さが制限される（図７（Ｂ）参照）。そのため、Ｔ字脚部４０が接着剤層Ｇに達することがなく、Ｔ字脚部４０の下端に接着剤が付着しないので、タイルＴの位置決め後にタイル施工治具１を取り外ししやすい。また、外縁部２１の端面が凹凸状に形成されているので、Ｔ字脚部４０の下端に接着剤が付着したとしても、下端面の全体に接着剤が付着しないため接着力が弱く、タイル施工治具１を取り外ししやすい。
【００２４】
以上のように、タイル施工治具１はＴ字脚部４０を備えるので、１つのタイル施工治具１で芋目地の外周部分も形成できる。なお、タイル施工治具１のＴ字脚部４０を用いて、馬目地を形成してもよい。
【００２５】
（第２実施形態）
図８に示すように、本発明の第２実施形態に係るタイル施工治具２は、第１実施形態に係るタイル施工治具１において、さらに第１Ｌ字脚部５０および第２Ｌ字脚部６０が設けられた構成である。
【００２６】
第１Ｌ字脚部５０は、係止部２０の４つの外縁部のうち外縁部２１を除く一の外縁部２２と、係止部２０の上面に立設された立設部５１とから構成される。図９（Ａ）に示すように、立設部５１は側面視において外縁部２２の左端に設けられており、第１Ｌ字脚部５０は外縁部２２と立設部５１との角部を左端に有する側面視Ｌ字形に構成されている。
【００２７】
立設部５１は脚部１０と同じ厚みｔを有する。また、図８に示すように、係止部２０の上面には、外縁部２２の端面から所定の寸法ｈだけ内側に係止突条５２が設けられている。外縁部２２の端面から係止突条５２までの寸法ｈは第１Ｌ字脚部５０の高さｈに相当し、脚部１０の高さｈと同寸法となっている。さらに、外縁部２２の端面は凹凸状に形成されている。
【００２８】
第２Ｌ字脚部６０は、係止部２０の４つの外縁部のうち外縁部２１、２２を除く一の外縁部２３と、係止部２０の上面に立設された立設部６１とから構成される。図９（Ｂ）に示すように、立設部６１は側面視において外縁部２３の右端に設けられており、第２Ｌ字脚部６０は外縁部２３と立設部６１との角部を右端に有する側面視Ｌ字形に構成されている。
【００２９】
立設部６１は脚部１０と同じ厚みｔを有する。また、図８に示すように、係止部２０の上面には、外縁部２３の端面から所定の寸法ｈだけ内側に係止突条６２が設けられている。外縁部２３の端面から係止突条６２までの寸法ｈは第２Ｌ字脚部６０の高さｈに相当し、脚部１０の高さｈと同寸法となっている。さらに、外縁部２３の端面は凹凸状に形成されている。
【００３０】
第１Ｌ字脚部５０および第２Ｌ字脚部６０は、角部に張り付けられるタイルＴの位置決めに用いられる。
例えば、図１０に示すように、右下角部に配置されるタイルＴを張り付ける場合には、そのタイルＴの右下の角を第１Ｌ字脚部５０の外縁部２２と立設部５１との角部にあてがい、タイルＴを位置決めする。このようにタイルＴを位置決めすることで、タイルＴを床面Ｆに沿って張り付けることができる。
【００３１】
また、例えば、図１１に示すように、左下角部に配置されるタイルＴを張り付ける場合には、そのタイルＴの左下の角を第２Ｌ字脚部６０の外縁部２３と立設部６１との角部にあてがい、タイルＴを位置決めする。このようにタイルＴを位置決めすることで、タイルＴを床面Ｆに沿って張り付けることができる。
【００３２】
（第３実施形態）
図１２に示すように、本発明の第３実施形態に係るタイル施工治具３は、第１実施形態に係るタイル施工治具１において、脚部１０が平面視Ｔ字形であり、Ｔ字脚部４０が設けられていない構成である。その余の構成はタイル施工治具１と同様であるので、同一部材に同一符号を付して説明を省略する。
【００３３】
図１３に示すように、本実施形態のタイル施工治具３は脚部１０がＴ字形であるので、縦目地と横目地がＴ字に交差する馬目地を形成するのに用いられる。より詳細には、タイルＴを施工面に張り付ける際に、１つのタイルＴの縁、および２つのタイルＴの角が集まりＴ字に交差する目地にタイル施工治具３の脚部１０を挿入する。つぎに、各タイルＴを、その縁および角が脚部１０に接触するように位置決めして、タイルＴの間に脚部１０を挟む。このようにタイルＴを位置決めすることで、タイルＴの目地幅が脚部１０の厚みにより規定され均一にできる。
【００３４】
タイルＴを張り付けた後は、タイル施工治具３を取り外し、新たなタイルＴの張り付けに用いられる。以上の作業を順次繰り返すことで目地幅が均一であり、規則正しい馬目地を形成できる。なお、タイル施工治具３を、芋目地を構成するタイルＴのうち、外周部分に配置されるタイルＴの位置決めに用いてもよい。
【００３５】
（第４実施形態）
図１４に示すように、本発明の第４実施形態に係るタイル施工治具４は、脚部１０が平面視Ｌ字形である。その余の構成は第１実施形態に係るタイル施工治具１と同様であるので、同一部材に同一符号を付して説明を省略する。
【００３６】
本実施形態のタイル施工治具４は脚部１０がＬ字形であるので、角部に張り付けられるタイルの位置決めに用いられる。
【００３７】
（その他の実施形態）
上記第１実施形態のタイル施工治具１では、摘部３０は十字形の脚部１０の交差部の上端面に立設されているが、摘部３０が設けられる位置はこれに限定されず、係止部２０に設けられてもよいし、脚部１０および係止部２０に渡って設けられてもよい。
また、脚部１０の下端部分を接着剤が付着しにくい素材で形成してもよい。
【符号の説明】
【００３８】
１、２、３、４  タイル施工治具、
１０    脚部
２０    係止部
３０    摘部
４０    Ｔ字脚部
４１    立設部
４２    係止突条
５０    第１Ｌ字脚部
５１    立設部
５２    係止突条
６０    第２Ｌ字脚部
６１    立設部
６２    係止突条
【図１】
2014163109.tif 000003
【図２】
2014163109.tif 000004
【図３】
2014163109.tif 000005
【図４】
2014163109.tif 000006
【図５】
2014163109.tif 000007
【図６】
2014163109.tif 000008
【図７】
2014163109.tif 000009
【図８】
2014163109.tif 000010
【図９】
2014163109.tif 000011
【図１０】
2014163109.tif 000012
【図１１】
2014163109.tif 000013
【図１２】
2014163109.tif 000014
【図１３】
2014163109.tif 000015
【図１４】
2014163109.tif 000016